(57)【特許請求の範囲】
【請求項１】
記憶媒体を内蔵するデータ記憶ユニットが取り付けられた基板と、
前記基板が立った姿勢で収納される、鉛直方向を軸方向とする柱状の筐体であって、前記基板の厚さ方向に前記基板と対向する一対の側壁部を有する筐体と、
を備え、
前記筐体の軸方向を第１の方向とし、前記基板の厚さ方向を第２の方向とし、これらと直交する方向を第３の方向とするとき、前記一対の側壁部は、前記第３の方向の中央部が両端部よりも前記第２の方向に前記基板から離れるように湾曲した湾曲形状を有し、
前記データ記憶ユニットは、前記基板の前記第２の方向の一方の側に取り付けられ、前記基板は、前記筐体の前記第２の方向の中央に対して他方の側にオフセットして配置される、
ことを特徴とする電子機器。
【請求項２】
前記一対の側壁部と前記基板の前記第３の方向の中央部との前記第２の方向の距離は、前記一対の側壁部と前記基板の前記第３の方向の両端部との前記第２の方向の距離よりも大きい、
請求項１に記載の電子機器。
【請求項３】
前記一対の側壁部の前記第３の方向の先端の間隔が、前記基板と前記データ記憶ユニットの合計の厚さよりも小さい、
請求項１に記載の電子機器。
【請求項４】
選択されたチャンネルの放送信号を取得するチューナーユニットが前記基板に取り付けられ、
前記チューナーユニット及び前記データ記憶ユニットは、前記基板の前記第２の方向の一方の側に取り付けられ、
前記基板は、前記筐体の前記第２の方向の中央に対して他方の側にオフセットして配置される、
請求項１に記載の電子機器。
【請求項５】
選択されたチャンネルの放送信号を取得するチューナーユニットと、半導体チップと、が前記基板に取り付けられ、
前記基板の前記第３の方向の中央に対して一方の側に前記データ記憶ユニットが配置され、他方の側に前記チューナーユニット及び前記半導体チップが配置される、
請求項１に記載の電子機器。
【請求項６】
前記筐体は、前記一対の側壁部の周縁部の間に設けられた、前記基板を取り囲む枠状部を有し、
前記筐体の外面には、前記周縁部と前記枠状部の間を前記周縁部に沿って延びるノッチが形成される、
請求項１に記載の電子機器。
【請求項７】
前記一対の側壁部の周縁部は、前記第２の方向の内側の面が外側に向かって傾斜したテーパー形状を有する、
請求項６に記載の電子機器。
【請求項８】
前記筐体は、前記第３の方向の一方の端部に配置される透光部材と、前記透光部材に形成された挿入孔に挿入され、前記基板に取り付けられた発光素子からの光を前記挿入孔まで導く導光部材と、を有する、
請求項１に記載の電子機器。
【請求項９】
前記筐体は、前記第３の方向の一方の端面から突出し、前記第１の方向の一方の側に前記端面と連続する湾曲面を有する突出部と、前記湾曲面に形成された開口に配置されるボタンと、を有する、
請求項１に記載の電子機器。
【発明の詳細な説明】
【技術分野】
【０００１】
本発明は、電子機器に関し、特には外観形状による機能性の向上に関する。
【背景技術】
【０００２】
従来、ハードディスクドライブ（ＨＤＤ）が取り付けられた基板を収納する矩形箱状の筐体を備え、筐体が立った姿勢で使用される電子機器が知られている。
【発明の概要】
【発明が解決しようとする課題】
【０００３】
こうした電子機器では、筐体の転倒の防止を図るために、筐体の厚さよりも幅が広いスタンドを筐体の下端に設ける必要がある。また、基板に取り付けられるＨＤＤや他の電子部品は発熱を伴うため、筐体の放熱性を向上させる必要もある。
【０００４】
本発明の目的は、スタンドを設けずとも筐体の転倒の防止を図ることが可能で、かつ筐体の放熱性の向上を図ることが可能な電子機器を提供することにある。
【課題を解決するための手段】
【０００５】
上記課題を解決するため、本発明の電子機器は、記憶媒体を内蔵するデータ記憶ユニットが取り付けられた基板と、前記基板が立った姿勢で収納される、鉛直方向を軸方向とする柱状の筐体と、を備える。前記筐体は、前記基板の厚さ方向に前記基板と対向する一対の側壁部を有する。前記筐体の軸方向を第１の方向とし、前記基板の厚さ方向を第２の方向とし、これらと直交する方向を第３の方向とするとき、前記一対の側壁部は、前記第３の方向の中央部が両端部よりも前記第２の方向に前記基板から離れるように湾曲した湾曲形状を有する。
【発明の効果】
【０００６】
本発明によると、一対の側壁部の湾曲形状によって、スタンドを設けることなく筐体の転倒の防止を図ることが可能である。また、一対の側壁部と基板との間に形成される空間において熱が対流し易くなるため、筐体の放熱性の向上を図ることが可能である。
【図面の簡単な説明】
【０００７】
【図１】本発明の一実施形態に係る電子機器の正面図である。
【図２】上記電子機器の上面図である。
【図３】上記電子機器の左側面図である。
【図４】上記電子機器の右側面図である。
【図５】上記電子機器の背面図である。
【図６】上記電子機器の斜視図であり、同図は左側の側壁部が取り外された状態の電子機器の左側面を斜めから臨んだ様子を示している。
【図７】上記電子機器の断面図であり、図２のＶＩＩ−ＶＩＩ線で示される面を切断面としている。
【図８】上記電子機器の断面図であり、図１のＶＩＩＩ−ＶＩＩＩ線で示される面を切断面としている。
【発明を実施するための形態】
【０００８】
本発明の電子機器の実施形態を、図面を参照しながら説明する。
【０００９】
図１〜図５は、本発明の一実施形態に係る電子機器１の正面図、上面図、左側面図、右側面図及び背面図である。図６は、電子機器１の斜視図である。図７及び図８は、電子機器１の断面図である。以下の説明においては、これらの図のＸ１で示す方向を上方向、Ｘ２で示す方向を下方向、Ｙ１で示す方向を右方向、Ｙ２で示す方向を左方向、Ｚ１で示す方向を前方向、Ｚ２で示す方向を後方向とする。
【００１０】
電子機器１は、例えば地上デジタルテレビチューナー及びハードディスクレコーダーとして機能する電子機器である。また、電子機器１は、例えば家庭用ゲーム機などの外部の電子機器と有線又は無線で通信する通信機能を備えている。
【００１１】
電子機器１は、上下方向（鉛直方向）を軸方向とする概略柱状の筐体２と、立った姿勢で筐体２に収納される基板３と、を備えている。筐体２は、合成樹脂材料の成形品からなる。ここで、概略柱状とは、軸方向と直交する断面がほぼ同じ形状及び大きさで軸方向に連続する形状をいう。筐体２の水平断面は、前後方向の中央部が比較的太く、前後方向の両端部に向かうに従って細くなる紡錘形状となっている。基板３は、絶縁性基板に電気回路が形成された回路基板であり、長手方向が前後方向、幅方向が上下方向、厚さ方向が左右方向を向いた姿勢で筐体２に収納されている。
【００１２】
基板３には、チューナーユニット４と、データ記憶ユニット５と、半導体チップ６と、が取り付けられている。チューナーユニット４は、選択されたチャンネルの放送信号を受信し、その放送信号から映像データを復号する。チューナーユニット４は、矩形箱状の本体部４１と、本体部４１から後方に延び、筐体２の後壁２８から突出する入力用及び出力用の同軸ケーブル端子４３，４５と、を備えている。
【００１３】
データ記憶ユニット５は、ハードディスクドライブ（ＨＤＤ）等の記憶媒体を内蔵する記憶装置からなり、映像データを記憶する。データ記憶ユニット５は、矩形箱状に構成され、長手方向が上下方向、幅方向が前後方向、厚さ方向が左右方向を向いた姿勢で基板３に取り付けられている。なお、データ記憶ユニット５は、ＨＤＤに限られず、例えばソリッドステートドライブ（ＳＳＤ）等であってもよい。
【００１４】
半導体チップ６は、電子機器１の動作を制御する。例えば、チューナーユニット４が生成した映像データをデータ記憶ユニット５に送出する動作や、チューナーユニット４が生成した映像データ又はデータ記憶ユニット５に格納された映像データを外部の電子機器に送出する動作などが、半導体チップ６によって制御される。半導体チップ６には、ヒートシンクが取り付けられてもよい。
【００１５】
また、基板３の後端部には、電源ポート７１と、ＬＡＮ（Local Area Network）ポート７２と、ＵＳＢ（Universal Serial Bus）ポート７３と、が取り付けられている。筐体２の背面はインターフェース部となっており、同軸ケーブル端子４３，４５、電源ポート７１、ＬＡＮポート７２及びＵＳＢポート７３が上下方向に配列している。
【００１６】
また、基板３の後端部の上端付近には、複数のスイッチ７４，７５が取り付けられている。スイッチ７４，７５は、例えばリセットスイッチ及び電源スイッチである。筐体２の背面には、各々のスイッチ７４，７５に対応する複数のボタン８４，８５が設けられている。ボタン８４，８５の配置については、後に詳しく説明する。
【００１７】
また、基板３の前端部には、複数の発光素子７６が取り付けられている。各々の発光素子７６の点灯は、例えば電源オン状態、ＬＡＮアクセス、ＨＤＤアクセスなどを表す。各々の発光素子７６から発せられる光を、外部から視認可能とするために筐体２の前壁部２７の挿入孔２７ａまで導く構成については、後に詳しく説明する。
【００１８】
以下、筐体２の詳細な構成について説明する。筐体２は、基板３の右方向に配置される側壁部２２と、基板３の左方向に配置される側壁部２３と、基板３の上方向に配置される上壁部２５と、基板３の下方向に配置される下壁部２６と、基板３の前方向に配置される前壁部２７と、基板３の後方向に配置される後壁部２８と、を備えている。このうち、側壁部２２，２３は、立った姿勢の基板３の各面と対向しており、基板３を挟み込むように配置されている。また、上壁部２５、下壁部２６、前壁部２７及び後壁部２８は、基板３の周縁に沿って配置され、基板３を上下前後に取り囲む矩形枠状の枠状部２４を構成している。また、側壁部２２、上壁部２５、下壁部２６及び後壁部２８は一体の成形品として構成されており、側壁部２３及び前壁部２７はこの成形品に着脱可能な別体として構成されている。
【００１９】
側壁部２２，２３は、前後方向の中央部が前後方向の両端部よりも左右方向の外側に基板３から離れるように湾曲した湾曲形状を有している。より具体的には、側壁部２２，２３は、筐体２及び基板３の前後方向の中央（図２のＶＩＩ−ＶＩＩ線の位置）において基板３から最も離れており、中央から前後方向に離れるに従って基板３に徐々に近づき、基板３の前後方向の両端において基板３に最も近づいている。また、側壁部２２，２３は、筐体２の左右方向の中央を対称面とする左右対称な湾曲形状を有している。また、側壁部２２，２３は、電子機器１と比較して十分に大きな円筒の一部を為すような部分円筒状を有している。
【００２０】
側壁部２２，２３の前端は基板３の前端よりも前方に位置しており、側壁部２２，２３の後端は基板３の後端よりも後方に位置している（図２を参照）。側壁部２２，２３の前端の間隔Ｗ２、すなわち側壁部２２，２３の最小間隔は、基板３とデータ記憶ユニット５の合計の厚さＷ３よりも小さくなっている。また、側壁部２２，２３の前端の間隔Ｗ２は、基板３とチューナーユニット４の合計の厚さよりも小さくなっている。図示した例では、チューナーユニット４の厚さはデータ記憶ユニット５と同程度である。また、側壁部２２，２３の後端の間隔も、前端の間隔Ｗ２と同程度である（但し、突出部２９の近傍のみ）。
【００２１】
筐体２に収納される基板３は、筐体２の左右方向の中央に対して右側にオフセットして配置されており、右側の側壁部２２に取り付けられている（図２を参照）。基板３の左右方向の位置は、右側の側壁部２２の前後方向の両端と同じであるか、若しくはそれよりも右側となっている。チューナーユニット４、データ記憶ユニット５及び半導体チップ６は、基板３の左側の面に取り付けられている。チューナーユニット４及びデータ記憶ユニット５の左右方向の中央は、基板３よりも筐体２の左右方向の中央に近接しており、筐体２の左右方向の中央とほぼ揃っている。
【００２２】
具体的には、右側の側壁部２２は、左右方向の内側に張り出して基板３の右側の面と接触する複数のブラケット２２３を有している（図２を参照）。また、左側の側壁部２３も、左右方向の内側に延びて基板３の左側の面と接触する複数のブラケット２３３を有している。ブラケット２２３，２３３は基板３を挟んだ状態でネジ９４によって互いに固定されている。ネジ９４は、右側の側壁部２２の外面に形成された、ブラケット２２３と対応する凹部２２ｄに挿入されている。また、右側の側壁部２２の外面には、ネジ９４が挿入された凹部２２ｄを覆うカバー２２７が取り付けられている（図４を参照）。
【００２３】
また、右側の側壁部２２の後端部には凹部２２ｅが設けられており、凹部２２ｅには、前後方向に貫通するカード挿入口２２ｃが形成されている（図５を参照）。カード挿入口２２ｃには、放送信号を復号するための暗号鍵を格納するＢ−ＣＡＳカードが挿入される（Ｂ−ＣＡＳは登録商標）。カード挿入口２２ｃに挿入されたＢ−ＣＡＳカードは、筐体２の内部で右側にオフセットして配置された基板３と対向し、基板３の右側の面に設けられた不図示の接点と接触する。
【００２４】
基板３に取り付けられるチューナーユニット４、データ記憶ユニット５及び半導体チップ６のうち、最も専有面積の大きいデータ記憶ユニット５は、基板３の前後方向の中央（図２のＶＩＩ−ＶＩＩ線の位置）よりも前方に配置されている。データ記憶ユニット５の前端は基板３の前端とほぼ揃えられており、データ記憶ユニット５の後端は基板３の前後方向の中央から前方にやや離れている。一方で、チューナーユニット４及び半導体チップ６は、基板３の前後方向の中央よりも後方に配置されている。チューナーユニット４は、同軸ケーブル端子４３，４５が筐体２の後壁２８から後方に突出するよう、基板３の下半部の後端寄りに配置されている。半導体チップ６は、データ記憶ユニット５の後方かつチューナーユニット４の上方に配置されており、チューナーユニット４及びデータ記憶ユニット５よりも基板３の前後方向の中央に近接している。
【００２５】
基板３は、右側の側壁部２２及び枠状部２４により形成される空間に収納され（図６を参照）、その後、枠状部２４に左側の側壁部２３が取り付けられて、筐体２が完成する。また、筐体２の下面には、滑り止め及び振動吸収用の弾性シート９２が取り付けられる。枠状部２４には、図６に示されるように、左側の側壁部２３を取り付けるための複数の爪部２５４，２６４や係止穴２７６が設けられている。一方で、左側の側壁部２３にも、図７に示されるように、周縁部２３１の近くで右方向に突出した、枠状部２４に取り付けるための爪部２３８が設けられている。また、側壁部２２，２３の内側面には、前後方向に延びる補強のためのリブ２２９，２３９が設けられている。
【００２６】
図１、図２及び図５に示されるように、筐体２の外面には、側壁部２２，２３の周縁部２２１，２３１と、これらの間に位置する枠状部２４との間に、周縁部２２１，２３１に沿って延びるノッチ２２ａ，２３ａが形成されている。また、側壁部２２，２３の周縁部２２１，２３１は、テーパー形状を有している。ここで、枠状部２４は、上壁部２５、下壁部２６、前壁部２７及び後壁部２８を含んでおり、これらと周縁部２２１，２３１との間にノッチ２２ａ，２３ａが形成されている。但し、後壁部２８については、突出部２９の付近のみにノッチ２２ａ，２３ａが形成されている。ノッチ２２ａ，２３ａは、周縁部２２１，２３１に対して左右方向の内側の位置で、前後方向または上下方向の内側に向かって切れ込まれるように形成されている。
【００２７】
図７に示されるように、筐体２の上端部では、ノッチ２２ａ，２３ａは、上壁部２５の左右方向の外側面２５２，２５３と、周縁部２２１，２３１の左右方向の内側面２２４，２３４とによって概略Ｖ字状に形成されている。上壁部２５の左右方向の外側面２５２，２５４は上下方向に平行な面であり、周縁部２２１，２３１の内側面２２４，２３４は、先端に向かうに従って左右方向の外側へ傾斜した面である。また、周縁部２２１，２３１の外側面２２５，２３５は、側壁部２２，２３の外側面に沿った面であり、左右方向の何れの側にも傾斜していない。このため、周縁部２２１，２３１は、先端に向かうに従って薄くなると共に、左右方向の中央が外側に寄っていく。また、ノッチ２２ａ，２３ａの切れ込み深さは、例えば上壁部２５の厚さの半分程度とされる。なお、筐体２の下端部にも、図７に示される例と同様のノッチ２２ａ，２３ａが形成されている。
【００２８】
図８に示されるように、筐体２の前端部では、ノッチ２２ａ，２３ａは、台形柱状の前壁部２７の左右方向の外側面２７２，２７３と、周縁部２２１，２３１の左右方向の内側面２２４，２３４とによって概略Ｖ字状に形成されている。台形柱状の前壁部２７の左右方向の外側面２７２，２７３が、前方に向かうに従って左右方向の内側に傾斜する一方で、周縁部２２１，２３１自体も左右方向の内側にやや傾斜しているため、ノッチ２２ａ，２３ａの切れ込み角度は、図７に示される例と同程度となっている。なお、筐体２の後端部の突出部２９付近にも、図８に示される例と同様のノッチ２２ａ，２３ａが形成されている。
【００２９】
図８に示されるように、筐体２の前端部に位置する台形柱状の前壁部２７は、左右方向の中央部が前方に向けて突出した凸状の非透光部材２７１と、非透光部材２７１の前方に設けられた、前方に向けて突出した山状の透光部材２７４と、を有している。前壁部２７は、非透光部材２７１を為す透光性を有さない樹脂材料と、透光部材２７４を為す透光性を有する樹脂材料と、の二色成形によって得られる。透光部材２７４の後方に非透光部材２７１が配置されることで、外部から筐体２の内部が見えないようになっている。透光部材２７４の前端部には、後方に開放された円柱状の挿入孔２７ａが形成されている。また、非透光部材２７１の前端部にも、透光部材２７４の挿入孔２７ａと連続する、前方及び後方に開放された円柱状の挿入孔２７ｂが形成されている。
【００３０】
また、前壁部２７には、基板３の前端部に取り付けられた発光素子７６からの光を透光部材２７４の挿入孔２７ａまで導く導光部材８２が取り付けられている。導光部材８２は、円柱状の前端部８２３が前壁部２７の挿入孔２７ａ，２７ｂに挿入され、後端部８２５が基板３に取り付けられた発光素子７６と対向するように、Ｌ字状に折れ曲がっている。また、導光部材８２は、非透光部材２７１に設けられた突起部２７８と嵌合する取付部８２７を有している。発光素子７６から後端部８２５に入射された光は、挿入孔２７ａに挿入された前端部８２３に導かれ、透光部材２７４を通じて外部から視認可能となる。挿入孔２７ａに導かれた光は、正面視では円状に見え、側面視では矩形状に見える。また、非透光部材２７１が凸状に形成され、挿入孔２７ａが透光部材２７４の後端よりも前方に位置することから、挿入孔２７ａに導かれた光は透光部材２７４の中に浮いているように見える。
【００３１】
図３に示されるように、筐体２の後壁部２８の上端付近には、後方に向けて突出する突出部２９が設けられている。突出部２９は、同軸ケーブル端子４３，４５やＵＳＢポート７３などが設けられる端面２８１よりも後方に突出しており、後方に向かうに従って幅が狭くなる台形柱状となっている。また、突出部２９の下側には、端面２８１と連続する前方かつ上方に向けて凸の湾曲面２９２が形成されており、湾曲面２９２には、複数のボタン８４，８５が上下方向に配列している。各々のボタン８４，８５の後端部は、湾曲面２９２に形成された開口から後方にやや突出しており、湾曲面２９２に沿って傾斜した丸みを帯びた面を有している。なお、突出部２９のうち湾曲面２９２を含む一部は、左側の側壁部２３に付属して設けられる（図６を参照）。
【００３２】
複数のボタン８４，８５のうち、下側のボタン８４は、後壁部２８に対する湾曲面２９２の傾斜が比較的緩い部分に配置されていることから比較的押しやすい。このため、下側のボタン８４には、利用頻度が比較的高いボタン、例えばリセットボタンが割り当てられる。一方、上側のボタン８５は、後壁部２８に対する湾曲面２９２の傾斜が比較的急な部分に配置されていることから比較的押しにくい。このため、上側のボタン８５には、利用頻度が比較的低いボタン、例えば電源ボタンが割り当てられる。この態様によると、より利用頻度の低いボタンがより押しにくくなるため、誤って押される可能性が低減される。
【００３３】
以上に説明した実施形態によると、筐体２の側壁部２２，２３が湾曲形状を有することによって、スタンドを設けることなく筐体２の転倒の防止を図ることが可能である。具体的には、側壁部２２，２３の最大間隔を、基板３とデータ記憶ユニット５の合計の厚さに対して例えば２倍以上とすることで、左右方向への筐体２の転倒を抑制することが可能である。側壁部２２，２３の最大間隔は、筐体２の転倒を抑制することを考慮して適宜定められる。また、側壁部２２，２３が湾曲形状を有することによって、筐体２が転倒する際の支点が左右方向の中央から離れるだけでなく、筐体２に外力が作用する点も左右方向の中央から離れるため、スタンドを用いる従来例よりも転倒防止の効果が高い。また、筐体２の前後方向の中央から離れた位置に左右方向の外力が作用した場合には、当該外力が湾曲した外面の面外成分と面内成分に分解されて、転倒に寄与する面外成分が低減されると共に、面外成分の方向が筐体２の前後方向の中央側に寄るため、筐体２の前後方向の中央から離れた位置であっても転倒防止の効果が高い。
【００３４】
また、筐体２の側壁部２２，２３が湾曲形状を有することによって、側壁部２２，２３と基板３との間に比較的大きな空間が形成され、この空間において熱の対流が促進されるため、筐体２の放熱性の向上を図ることも可能である。基板３が立った姿勢で筐体２に収納されており、基板３の各面と対向する側壁部２２，２３の両方が放熱に寄与することから、基板３を寝かせた姿勢とする場合よりも筐体２の放熱性が高い。また、筐体２の側壁部２２，２３が湾曲形状を有することで、複数の電子機器１を左右方向に並べて使用する場合に基板３同士の間隔を確保して、熱の過度な集中を抑制することが可能である。また、筐体２の側壁部２２，２３が湾曲形状を有することで、複数の電子機器１を基板３の厚さ方向に積み重ねることが困難であるため、放熱に不利な使用態様を制限することが可能である。
【００３５】
また、上記実施形態では、側壁部２２，２３と基板３の前後方向の中央部との左右方向の距離は、側壁部２２，２３と基板３の前後方向の両端部との左右方向の距離よりも大きい。これによると、基板３の前後方向の中央部の周囲に形成される空間を、両端部の周囲に形成される空間よりも大きくすることが可能である。
【００３６】
また、上記実施形態では、側壁部２２，２３の前端及び後端の間隔Ｗ２が、基板３とデータ記憶ユニット５の合計の厚さＷ３よりも小さい。これによると、筐体２の前後方向の中央部において筐体２の転倒の防止及び筐体２の放熱性の向上を図りつつ、筐体２の前端部及び後端部のスリム化を図ることが可能である。
【００３７】
また、上記実施形態では、チューナーユニット４が基板３に取り付けられ、チューナーユニット４及びデータ記憶ユニット５は、基板３の左側の面に取り付けられ、基板３は、筐体２の左右方向の中央に対して右側にオフセットして配置される。これによると、データ記憶ユニット５を筐体２の左右方向の中央近傍に配置することが可能である。
【００３８】
また、上記実施形態では、チューナーユニット４と半導体チップ６とが基板３に取り付けられ、基板３の前後方向の中央に対して前側にデータ記憶ユニット５が配置され、後側にチューナーユニット４及び半導体チップ６が配置される。これによると、基板３の前後方向の中央に対して前側にデータ記憶ユニット５を配置することで、側壁部２２，２３との間隔が比較的大きい基板３の前後方向の中央に、発熱量の多い半導体チップ６を近付けることが可能である。
【００３９】
また、上記実施形態では、筐体２は、一対の側壁部２２，２３の周縁部２２１，２３１の間に設けられた、基板３を取り囲む枠状部２４を有し、筐体２の外面には、周縁部２２１，２３１と枠状部２４の間を周縁部２２１，２３１に沿って延びるノッチ２２ａ，２３ａが形成される。これによると、側壁部２２，２３と枠状部２４が実際には一体であっても、これらの間にノッチ２２ａ，２３ａを形成することで、筐体２の部品点数を増加させることなく、側壁部２２，２３と枠状部２４が別体であるように見せることが可能である。詳しくは、右側の側壁部２２は、上壁部２５、下壁部２６及び後壁部２８と一体で構成されるが、周縁部２２１に沿ったノッチ２２ａを形成することによって、右側の側壁部２２を実際に別体にすることなく、別体であるように見せることが可能である。
【００４０】
さらに、この態様では、一対の側壁部２２，２３の周縁部２２１，２３１は、左右方向の内側面２２４，２３４が外側に向かって傾斜したテーパー形状を有してもよい。これによると、実際よりも薄い側壁部２２，２３が枠状部２４に取り付けられているように見せることが可能である。
【００４１】
また、上記実施形態では、筐体２は、前端部に配置される透光部材２７４と、透光部材２７４に形成された挿入孔２７ａに挿入され、基板３に取り付けられた発光素子７６からの光を挿入孔まで導く導光部材８２と、を有する。これによると、発光素子７６と透光部材２７４が離れていても、発光素子７６からの光を透光部材２７４の挿入孔２７ａに導いて、透光部材２７４の挿入孔２７ａが発光しているように見せることが可能である。
【００４２】
また、上記実施形態では、筐体２は、後端部の端面２８１から突出し、下側に端面２８１と連続する湾曲面２９２を有する突出部２９と、湾曲面２９２に形成された開口に配置されるボタン８４，８５と、を有する。これによると、ボタン８４，８５を湾曲面２９２に配置することで、ボタン８４，８５が誤って押されることを抑制することが可能である。
【００４３】
以上、本発明の実施形態について説明したが、本発明は上記実施形態に限定されるものではなく、種々の変形実施が当業者にとって可能であるのはもちろんである。
【符号の説明】
【００４４】
１  電子機器、２  筐体、２２  側壁部、２２ａ  ノッチ、２２ｃ  カード挿入口、２２ｄ  凹部、２２ｅ  凹部、２２１  周縁部、２２３  ブラケット、２２４  内側面、２２５  外側面、２２７  カバー、２２９  リブ、２３  側壁部、２３ａ  ノッチ、２３１  周縁部、２３３  ブラケット、２３４  内側面、２３５  外側面、２３８  爪部、２３９  リブ、２４  枠状部、２５  上壁部、２５２  外側面、２５３  外側面、２５４  爪部、２６  下壁部、２６１  爪部、２６４  爪部、２７  前壁部、２７ａ  挿入孔、２７ｂ  挿入孔、２７１  非透光部材、２７２  外側面、２７３  外側面、２７４  透光部材、２７６  係止穴、２７８  突起部、２８  後壁部、２８１  端面、２９  突出部、２９２  湾曲面、３  基板、４  チューナーユニット、４１  本体部、４３  同軸ケーブル端子、４５  同軸ケーブル端子、５  データ記憶ユニット、６  半導体チップ、７１  電源ポート、７２  ＬＡＮポート、７３  ＵＳＢポート、７４  スイッチ、７５  スイッチ、７６  発光素子、８２  導光部材、８２３  前端部、８２５  後端部、８２７  取付部、８４  ボタン、８５  ボタン、９２  弾性シート、９４  ネジ。
【図１】
0005589020.tif 000002
【図２】
0005589020.tif 000003
【図３】
0005589020.tif 000004
【図４】
0005589020.tif 000005
【図５】
0005589020.tif 000006
【図６】
0005589020.tif 000007
【図７】
0005589020.tif 000008
【図８】
0005589020.tif 000009